(57)【特許請求の範囲】
【請求項１】
複数のジョイントと、２本のポストと、２本のサイドバーと、クロスバーと、エンドバーとを有し、
その内、前記ジョイントは、第一部材、第二部材、および固定部材を備え、該第一部材は、回転可能、且つ所定の角度で位置決めできるように第二部材に枢設され、
前記第一部材の一端に係合端が形成され、
該係合端の両側にそれぞれ壁部が間隔をおいて対向するように設けられ、それらの壁部の間に差込み溝が形成され、
少なくとも１枚の壁部の内側面にガイド溝が凹設され、
前記第二部材の一端に係合凸部を有する係合端が形成され、
該係合凸部は第一部材の差込み溝に挿し込まれ、
該係合凸部に第二部材の軸方向に沿うように細長状の摺動溝が凹設され、
該摺動溝は係合凸部の端部を切り欠くように形成され、
前記固定部材は、摺動可能に第一部材の差込み溝に取り付けられ、
該固定部材の少なくとも一側に少なくとも１つの位置決め凸部が設けられ、
該固定部材が第一部材に対して摺動する時、該位置決め凸部が選択可能にガイド溝に嵌合したり離脱したりすることができ、
該固定部材の底部に、摺動可能に第二部材の摺動溝に嵌合される摺動凸部が設けられ、
前記第二部材の摺動溝の底面に、第二部材の軸方向に沿って延出する制限溝が凹設され、
前記固定部材の摺動凸部に制限凸部が設けられ、
該制限凸部は、摺動可能に第二部材の制限溝に突出するように嵌合され、
前記２本のポストは、横方向に間隔をおいて垂直に立てられ、
前記ポストの下端とその対応するジョイントとの間に弾性部材が設置され、
前記２本のサイドバーは、横方向に間隔をおいて水平に設置され、その前端はポストの下端に対応し、該各サイドバーの前端は、ジョイントを介してポストの下端と連結され、その内、該サイドバーの前端及びその対応するポストの下端はそれぞれ、ジョイントの第一部材及び第二部材に嵌め込まれ、
前記クロスバーは、伸縮可能なチューブであり、その両端はそれぞれ、ジョイントを介してポストの上端と連結され、また、該クロスバーの端部及びその対応するポストの上端はそれぞれ、ジョイントの第一部材及び第二部材に挿設され、
前記エンドバーは、伸縮可能なチューブであり、その両端はそれぞれジョイントを介してサイドバーの後端と連結され、また、該エンドバーの端部及びその対応するサイドバーの後端はそれぞれ、ジョイントの第一部材及び第二部材に嵌め込まれることを特徴とする、
サッカーゴール。
【請求項２】
前記第二部材の摺動溝が蟻継ぎ状の凹部であると共に、前記固定部材の摺動凸部が蟻継ぎ状の凸部であり、それらにより該第二部材及び固定部材が嵌合されることを特徴とする請求項１に記載のサッカーゴール。
【請求項３】
前記クロスバーは、外管部と、伸縮管部と、締付けリングとを備え、その内、該外管部の一端にジョイントと組み合わされる固定端が設けられると共に、他端に環装端が設けられ、該環装端に少なくとも１つのスリットが形成され、該外管部の環装端の外周面にネジ山が設けられ、一方、該伸縮管部の一端にジョイントと組み合わされる固定端が設けられると共に、他端に伸縮端が設けられ、該伸縮管部の伸縮端が外管部の環装端を通過して外管部に貫設され、また、該締付けリングは、外管部の環装端に環装され、内周面にねじ山が設けられ、該ねじ山が選択可能に外管部のネジ山に螺合されることを特徴とする請求項１または２に記載のサッカーゴール。
【請求項４】
前記外管部の環装端の内周面に制止凸縁が設けられ、前記伸縮管部の伸縮端の外周面に制止フレンジが設けられ、該制止フレンジが制止凸縁に当接されることを特徴とする請求項３に記載のサッカーゴール。
【請求項５】
前記伸縮管部は、外管部材及び内管部材を備え、該外管部材と内管部材とは同軸に取り付けられ、そのうち外管部材の一端はジョイントに組み合わされると共に、他端は内管部材の一端に取り付けられ、更に、該外管部は内管部材に環装され、該伸縮管部の制止フレンジが内管部材の外周面に設けられることを特徴とする請求項４に記載のサッカーゴール。
【請求項６】
前記内管部材の外径が外管部の内径より小さく、前記外管部材の外径が外管部の外径と同一であることを特徴とする請求項５に記載のサッカーゴール。
【発明の詳細な説明】
【技術分野】
【０００１】
本発明は、特に折り畳むことにより、収納や持ち運びが容易なサッカーゴールに関するものである。
【背景技術】
【０００２】
サッカーやホッケー、ハンドボールなどは、ボールをゴールに入れることを競い合うスポーツであり、そのゴールは主に、複数の金属のポールを組み合わせてネットを張ることによりなるものである。既存のゴールは、固定式で体積が大きいと共に、所定の場所に配置することから、収納したり持ち運んだりすることができないと共に、練習する場合は、ゴールがある場所でしか練習できないので、非常に不便であった。
【０００３】
上述した問題を解決するために、組立式ゴールが開発された。その組立式ゴールは、コネクタを用いて複数のポールを組み合わせてネットを張ることにより構成し、使用しない時には、それらのポールを取り外して収納することができることから、持ち運びに非常に便利であり、運動場又は練習場以外のところにも使用できる。
【先行技術文献】
【非特許文献】
【０００４】
【非特許文献１】ｈｔｔｐ：／／ｄｅｔａｉｌ．１６８８．ｃｏｍ／ｏｆｆｅｒ／４０４３０６０４４８８．ｈｔｍｌ？ｓｐｍ＝０．０．０．０．Ｎ９ｅｇｊＮ
【発明の概要】
【発明が解決しようとする課題】
【０００５】
しかしながら、既存のゴールは、複数のポールを組み立てることにより何処でも作れるが、その組み立ての手間が複雑で時間もかかり、さらに、構造強度が弱く、高速のボールがぶつかると、倒れたり壊れたりする恐れがあるので、改良する必要があった。
【課題を解決するための手段】
【０００６】
本発明に係るサッカーゴールは、複数のジョイントと、２本のポストと、２本のサイドバーと、クロスバーと、エンドバーとを有し、その内、前記ジョイントは、第一部材及び第二部材を備え、該第一部材は、回転可能、且つ所定の角度で位置決めできるように第二部材に枢設され、前記２本のポストは、横方向に間隔をおいて垂直に立てられ、前記２本のサイドバーは、横方向に間隔をおいて水平に設置され、その前端はポストの下端に対応し、該各サイドバーの前端は、ジョイントを介してポストの下端と連結され、その内、該サイドバーの前端及びその対応するポストの下端はそれぞれ、ジョイントの第一部材１１及び第二部材に嵌め込まれ、前記クロスバーの両端はそれぞれ、ジョイントを介してポストの上端と連結され、また、該クロスバーの端部及びその対応するポストの上端はそれぞれ、ジョイントの第一部材及び第二部材に挿設され、前記エンドバーの両端はそれぞれジョイントを介してサイドバーの後端と連結され、また、該エンドバーの端部及びその対応するサイドバーの後端はそれぞれ、ジョイントの第一部材及び第二部材に嵌め込まれるものである。
【０００７】
かかるサッカーゴールにおいて、前記第一部材の一端に係合端が形成され、該係合端の両側にそれぞれ壁部が間隔をおいて対向するように設けられ、それらの壁部の間に差込み溝が形成され、少なくとも１枚の壁部の内側面にガイド溝が凹設され、前記第二部材の一端に係合凸部を有する係合端が形成され、該係合凸部は第一部材の差込み溝に挿し込まれ、また、該係合凸部に第二部材の軸方向に沿うように細長状の摺動溝が凹設され、該摺動溝は係合凸部の端部を切り欠くように形成され、前記ジョイントはさらに固定部材を有し、該固定部材は、摺動可能に第一部材の差込み溝に取り付けられ、該固定部材の少なくとも一側に少なくとも１つの位置きめ凸部が設けられ、該固定部材が第一部材に対して摺動する時、該位置決め凸部が選択可能にガイド溝に嵌合したり離脱したりすることができ、更に、該固定部材の底部に、摺動可能に第二部材の摺動溝に嵌合される摺動凸部が設けられることが好ましい。
【０００８】
かかるサッカーゴールにおいて、前記第二部材の摺動溝の底面に、第二部材の軸方向に沿って延出する制限溝が凹設され、前記固定部材の摺動凸部に制限凸部が設けられ、該制限凸部は、摺動可能に第二部材の制限溝に突出するように嵌合されることが好ましい。
【０００９】
かかるサッカーゴールにおいて、前記第二部材の摺動溝が蟻継ぎ状の凹部であると共に、前記固定部材の摺動凸部が蟻継ぎ状の凸部であり、それらにより該第二部材及び固定部材が穏やかに嵌合されることが好ましい。
【００１０】
かかるサッカーゴールにおいて、前記ポストの下端とその対応するジョイントとの間に弾性部材が設置されることが好ましい。
【００１１】
かかるサッカーゴールにおいて、前記クロスバー及びエンドバーがそれぞれ伸縮可能なチューブであることが好ましい。
【００１２】
かかるサッカーゴールにおいて、前記クロスバーは、外管部と、伸縮管部と、締付けリングとを備え、その内、該外管部の一端にジョイントと組み合わされる固定端が設けられると共に、他端に環装端が設けられ、該環装端に少なくとも１つのスリットが形成され、該外管部の環装端の外周面にネジ山が設けられ、一方、該伸縮管部の一端にジョイントと組み合わされる固定端が設けられると共に、他端に伸縮端が設けられ、該伸縮管部の伸縮端が外管部の環装端を通過して外管部に貫設され、また、該締付けリングは、外管部の環装端に環装され、内周面にねじ山が設けられ、該ねじ山が選択可能に外管部のネジ山に螺合されることが好ましい。
【００１３】
かかるサッカーゴールにおいて、前記外管部の環装端の内周面に制止凸縁が設けられ、前記伸縮管部の伸縮端の外周面に制止フレンジが設けられ、該制止フレンジが制止凸縁に当接されることが好ましい。
【００１４】
かかるサッカーゴールにおいて、前記伸縮管部は、外管部材及び内管部材を備え、該外管部材と内管部材とは同軸に取り付けられ、そのうち外管部材の一端はジョイントに組み合わされると共に、他端は内管部材の一端に取り付けられ、更に、該外管部は内管部材に環装され、該伸縮管部の制止フレンジが内管部材の外周面に設けられることが好ましい。
【００１５】
かかるサッカーゴールにおいて、前記内管部材の外径が外管部の内径より小さく、前記外管部材の外径が外管部の外径と同一であることが好ましい。
【発明の効果】
【００１６】
上述したように、本発明に係るサッカーゴールによれば、そのジョイントの第一部材及び第二部材を９０度に枢転させて位置決めることができることから、それらのポスト、２本のサイドバー、クロスバー、エンドバーをそれぞれジョイントを介して組み立てれば、サッカーゴールを使用状態とできる。
また、そのポストの下端に弾性部材が設置され、それによりサッカーゴールが衝撃を受けても緩和するので、それらのポスト及びクロスバーは衝撃力により揺動はするが、サッカーゴールが倒れたり壊れたりすることはない。
【００１７】
また、サッカーゴールを収納する時は、ジョイントの第一部材及び第二部材を枢転させて平行に折り畳めば、それらのポスト、２本のサイドバー、クロスバー、エンドバーもそれぞれ折り畳まれるので、簡単に収納や持ち運びがしやすくなる。
【図面の簡単な説明】
【００１８】
【図１】本発明に係るサッカーゴールの斜視図である。
【図２】本発明に係るサッカーゴールのジョイントの斜視図である。
【図３】本発明に係るサッカーゴールのジョイントを操作した状態を示す斜視図である。
【図４】本発明に係るサッカーゴールのジョイントの分解斜視図である。
【図５】本発明に係るサッカーゴールのジョイントの他の分解斜視図である。
【図６】本発明に係るサッカーゴールにおけるバーの部分拡大断面図である。
【図７】本発明に係るサッカーゴールにおけるバーの部分拡大分解斜視図である。
【図８】本発明に係るサッカーゴールの他の実施例におけるバーの部分拡大分解斜視図である。
【図９】本発明に係るサッカーゴールにおいての折り畳み操作を示す側面視斜視図である。
【図１０】本発明に係るサッカーゴールを折り畳んだ状態を示す側面視斜視図である。
【発明を実施するための形態】
【００１９】
図１に示すように、本発明に係るサッカーゴールは、複数のジョイント１０と、２本のポスト２１と、２本のサイドバー２２と、クロスバー２３と、エンドバー２４とを有する。
【００２０】
図２及び図３に示すように、前記ジョイント１０は、第一部材１１と、第二部材１２と、固定部材１３とを備える。
【００２１】
図４に示すように、前記第一部材１１は、軸１４を介して第二部材１２に枢設され、該第一部材１１の一端に組立端が、他端に係合端が設けられ、該係合端の両側にそれぞれ壁部１１１が間隔をおいて対向するように設けられ、それらの壁部１１１の間に差込み溝１１２が形成され、更に、該壁部１１１の相対する側に内側面が設けられ、少なくとも１枚の壁部１１１の内側面にガイド溝１１３が凹設され該ガイド溝１１３は、第一部材１１の軸方向と直交するように位置している。
【００２２】
図５に示すように、前記第二部材１２の一端に組立端が、他端に係合凸部１２１を有する係合端が設けられ、該係合凸部１２１は第一部材１１の差込み溝１１２に挿し込まれ、また、該係合凸部１２１に第二部材１２の軸方向に沿うように細長状の摺動溝１２２が凹設され、該摺動溝１２２は、係合凸部１２１の端部を切り欠くように形成され、更に、該摺動溝１２２の底面に、第二部材１２の軸方向に沿って延出する制限溝１２３が凹設される。
【００２３】
前記固定部材１３は、摺動可能に第一部材１１の差込み溝１１２に取り付けられ、少なくとも１つの位置決め凸部１３１と、摺動凸部１３２と、制限凸部１３３とを備える。
その固定部材１３が第一部材１１に対して摺動する時は、該位置決め凸部１３１が選択可能にガイド溝１１３に嵌合したり離脱したりすることができる。
本実施例における、第一部材１１の両側の壁部１１１にそれぞれガイド溝１１３が形成され、前記固定部材１３の両側にそれぞれ位置決め凸部１３１が設けられると共に、底部に摺動可能に第二部材１２の摺動溝１２２に嵌合される摺動凸部１３２が設けられる。また、その第二部材１２の摺動溝１２２が蟻継ぎ状の凹部であると共に、その固定部材１３の摺動凸部１３２が蟻継ぎ状の凸部であり、それらにより第二部材１２及び固定部材１３が互いに密接に組み合わされ、さらに、摺動凸部１３２に制限凸部１３３が設けられ、該制限凸部１３３は、摺動可能に第二部材１２の制限溝１２３に突出するように嵌合される。
【００２４】
その第二部材１２の摺動溝１２２と固定部材１３の摺動凸部１３２とは、蟻継ぎ状の凹凸構造により、第二部材１２の制限溝１２３と固定部材１３の制限凸部１３３も凹凸構造により、互いに組み合わされることから、固定部材１３が第二部材１２から離脱することはない。
その固定部材１３の位置決め凸部１３１が第一部材１１の差込み溝１１２に嵌合することによって、第一部材１１及び第二部材１２を所定の角度で位置決め固定する。一方、その固定部材１３の位置決め凸部１３１が第一部材１１の差込み溝１１２から摺動して離脱すると、第二部材１２及び固定部材１３が第一部材１１に対して枢転することができるようになる。
【００２５】
図１に示すように、２本の前記ポスト２１は、横方向に間隔をおいて垂直に立てられ、２本の前記サイドバー２２は、横方向に間隔をおいて水平に設置され、その前端は、ジョイント１０を介してポスト２１の下端と連結される。すなわち、該サイドバー２２の前端がジョイント１０の第二部材１２に、該ポスト２１の下端がジョイント１０の第一部材１１に挿設されることから、該ジョイント１０によってサイドバー２２の前端をポスト２１に対して枢転させたり折り畳んだりすることができる。
なお、前記サイドバー２２の前端はジョイント１０の第一部材１１に、前記ポスト２１の下端はジョイント１０の第二部材１２に挿設されてもよい。
【００２６】
前記クロスバー２３の両端はそれぞれ、ジョイント１０を介してポスト２１の上端と連結される。すなわち、該クロスバー２３の一端は、一方のジョイント１０の第一部材１１または第二部材１２に、それと対応するポスト２１の上端は、該ジョイント１０の第二部材１２または第一部材１１に挿設されると共に、該クロスバー２３の他端は、他方のジョイント１０の第一部材１１または第二部材１２に、それと対応するポスト２１の上端は、該ジョイント１０の第二部材１２または第一部材１１に挿設される。それによれば、ポスト２１を、ジョイント１０を介してクロスバー２３に対して枢転させて折り畳んだりすることができる。
【００２７】
前記エンドバー２４の両端はそれぞれ、ジョイント１０を介してサイドバー２２の後端に取り付けられる。すなわち、該エンドバー２４の一端は、一方のジョイント１０の第一部材１１または第二部材１２に、それと対応するサイドバー２２の後端は、該ジョイント１０の第二部材１２または第一部材１１に挿設されると共に、該エンドバー２４の他端は、他方のジョイント１０の第一部材１１または第二部材１２に、それと対応するサイドバー２２の後端は、該ジョイント１０の第二部材１２または第一部材１１に挿設される。それによれば、サイドバー２２を、ジョイント１０を介してエンドバー２４に対して枢転させたり折り畳んだりすることができる。
【００２８】
図１に示すように、本実施例における、ポスト２１の下端と対応するジョイント１０との間に弾性部材２５が設置されることから、ポスト２１及びクロスバー２３がサイドバー２２及びエンドバー２４に対して左右方向に揺動可能となる。尚、その弾性部材２５は、ばねであることが好ましい。
【００２９】
図６及び図７に示すように、本実施例においては、クロスバー２３及びエンドバー２４がそれぞれ、伸縮可能なチューブ部材であるので、サッカーゴールの幅を自由に調整することができる。
【００３０】
例えば、前記クロスバー２３は、外管部２３１と、伸縮管部２３２と、締付けリング２３３とを備え、該外管部２３１の一端にジョイント１０と組み合わされる固定端が設けられると共に、他端に環装端が設けられ、該環装端に外管部２３１の軸方向に沿って少なくとも１つのスリット２３１１が形成され、また、該外管部２３１の環装端の外周面にネジ山２３１２が設けられると共に、内周面に制止凸縁２３１３が設けられる。
【００３１】
前記伸縮管部２３２の一端にジョイント１０と組み合わされる固定端が設けられると共に、他端に伸縮端が設けられ、該伸縮端は、外管部２３１の環装端を通過するように外管部２３１に貫設される。更に、該伸縮管部２３２の伸縮端の外周面に制止フレンジ２３２１が設けられ、その制止フレンジ２３２１を制止凸縁２３１３に当接することによって、伸縮可能なクロスバー２３を最も長く調整すると共に、伸縮管部２３２の外管部２３１からの離脱を防止する。
【００３２】
前記締付けリング２３３は、外管部２３１の環装端に環装され、内周面にねじ山２３３１が設けられ、その外管部２３１の環装端にスリット２３１１が形成されていることから、締付けリング２３３のねじ山２３３１が外管部２３１のネジ山２３１２に螺合する時、外管部２３１の環装端を介して伸縮管部２３２を挟持することによって、外管部２３１と伸縮管部２３２とを締付けてクロスバー２３の長さを位置決める。
【００３３】
図６及び図７に示すように、本発明の実施例において、その伸縮管部２３２は、外管部材２３２ａ及び内管部材２３２ｂを備え、該外管部材２３２ａと内管部材２３２ｂとは同軸で組み合わされ、また、該外管部材２３２ａの一端がジョイント１０に組み合わされると共に、他端が内管部材２３２ｂに取り付けられ、その外管部２３１は内管部材２３２ｂに環装される。
更に、前記伸縮管部２３２の制止フレンジ２３２１は内管部材２３２ｂの外周面に設けられると共に、内管部材２３２ｂの外径は外管部２３１の内径より小さいことから、内管部材２３２ｂを外管部２３１に挿設することができ、その外管部材２３２ａの外径が外管部２３１の外径と同一であることから、外管部２３１が内管部材２３２ｂをカバーするように環装される時、その外管部２３１と外管部材２３２ａとの外周面が平坦な環状面となる。
【００３４】
図８に示すように、本発明の他の実施例における伸縮管部２３２は、前記外管部材２３２ａ’と内管部材２３２ｂ’とが一体に形成された伸縮管部２３２’である。
【００３５】
尚、そのエンドバー２４の構造は、クロスバー２３と同一であることから、ここでは説明を省略する。
【００３６】
図１乃至図３に示すように、サッカーゴールを組み立てる時は、まずジョイント１０の第一部材１１及び第二部材１２を枢設して９０度とし、固定部材１３を第一部材１１の差込み溝１１２に位置するように第一部材１１に係合することにより、第一部材１１及び第二部材１２を位置決める。
更に、ポスト２１、サイドバー２２、クロスバー２３、エンドバー２４をそれぞれ対応するジョイント１０に組み合わせてサッカーゴールのフレームを構成させ、最後にネット３０を掛ければ、サッカーゴールが完成となる。
この構成によれば、ポスト２１が衝撃を受けたとしても、ポスト２１の下端に弾性部材２５を有するので、ポスト２１及びクロスバー２３は衝撃力により揺動はするが、サッカーゴールが崩れたり壊れたりすることはない。
【００３７】
図９に示すように、サッカーゴールを分解して収納する時は、まずジョイント１０の固定部材１３を第一部材１１の差込み溝１１２から押し出し、続いてポスト２１とサイドバー２２との間におけるジョイント１０の第一部材１１及び第二部材１２を枢転させてクロスバー２３がエンドバー２４方向に近づくように、ポスト２１をサイドバー２２側に折り畳む。
更に、図１０に示すように、ポスト２１とクロスバー２３との間におけるジョイント１０の第一部材１１及び第二部材１２を枢転させると共に、サイドバー２２とエンドバー２４との間のジョイント１０の第一部材１１及び第二部材１２を枢転させると、ポスト２１、サイドバー２２、クロスバー２３、エンドバー２４が折り畳まれて、収納や持ち運びが可能となる。
【符号の説明】
【００３８】
１０  ジョイント
１１  第一部材
１１１  壁部
１１２  差込み溝
１１３  ガイド溝
１２  第二部材
１２１  係合凸部
１２２  摺動溝
１２３  制限溝
１３  固定部材
１３１  位置決め凸部
１３２  摺動凸部
１３３  制限凸部
１４  軸
２１  ポスト
２２  サイドバー
２３  クロスバー
２３１  外管部
２３１１  スリット
２３１２  ネジ山
２３１３  制止凸縁
２３２  伸縮管部
２３２ａ、２３２ａ’  外管部材
２３２ｂ、２３２ｂ’  内管部材
２３２１  制止フレンジ
２３３  締付けリング
２３３１  ねじ山
２４  エンドバー
２５  弾性部材
３０  ネット
【図１】
0005993473.tif 000002
【図２】
0005993473.tif 000003
【図３】
0005993473.tif 000004
【図４】
0005993473.tif 000005
【図５】
0005993473.tif 000006
【図６】
0005993473.tif 000007
【図７】
0005993473.tif 000008
【図８】
0005993473.tif 000009
【図９】
0005993473.tif 000010
【図１０】
0005993473.tif 000011